(57)【要約】【課題】アプリケーションサーバとクライアント端末において、アプリケーションサーバ上の画像処理を容易に行う。【解決手段】メディア４には、アプリケーションサーバ１を識別する情報に関連付けて処理画像ID、画像処理アプリケーションID、および関連画像IDが保存される。クライアント端末２のメディア解析部２ａは、メディア４に保存されている処理画像ID、画像処理アプリケーションID、関連画像ID、およびアプリケーションサーバ識別情報を読み出し、読み出したアプリケーションサーバ識別情報からアプリケーションサーバ１を特定する。アプリケーションクライアント機能部２ｂは、メディア解析部２ａで読み出された画像処理アプリケーションIDおよび関連画像IDを、ネットワーク３を介してアプリケーションサーバ１に送信し、画像処理アプリケーション群の実行を要求する。【選択図】図１
2010238093.tif 000002
【特許請求の範囲】
【請求項１】
画像処理した医用画像、および前記画像処理した医用画像に用いた画像処理アプリケーション群を保存する画像アプリケーション保存手段と、
前記画像アプリケーション保存手段に保存されている前記画像処理した医用画像を識別するための処理画像ＩＤ、および前記画像処理アプリケーション群を識別するための画像処理アプリケーションＩＤを関連付けて保存する画像アプリケーション関連情報管理手段と、
前記画像アプリケーション関連情報管理手段で管理されている前記処理画像ＩＤおよび前記画像処理アプリケーションＩＤを関連付けて可搬型メディアに保存するメディア保存手段と、
前記可搬型メディアに保存されている前記処理画像ＩＤおよび前記画像処理アプリケーションＩＤを読み出すメディア解析手段と、
前記メディア解析手段により読み出された前記処理画像ＩＤおよび前記画像処理アプリケーションＩＤに基づいて、前記画像アプリケーション保存手段から、前記画像処理した医用画像および前記画像処理アプリケーション群を読み出して実行するアプリケーションサーバ機能手段と
を備えることを特徴とする医用画像管理システム。
【請求項２】
クライアント端末とネットワークを介して接続されるアプリケーションサーバにおいて、
画像処理した医用画像、および前記画像処理した医用画像に用いた画像処理アプリケーション群を保存する画像アプリケーション保存手段と、
前記画像アプリケーション保存手段に保存されている前記画像処理した医用画像を識別するための処理画像ＩＤ、および前記画像処理アプリケーション群を識別するための画像処理アプリケーションＩＤを関連付けて保存する画像アプリケーション関連情報管理手段と、
前記画像アプリケーション関連情報管理手段で管理されている前記処理画像ＩＤおよび前記画像処理アプリケーションＩＤを、前記アプリケーションサーバを識別する識別情報に関連付けて可搬型メディアに保存するメディア保存手段と
を備えることを特徴とするアプリケーションサーバ。
【請求項３】
前記クライアント端末からの要求に基づいて、前記画像アプリケーション保存手段から、前記画像処理した医用画像および前記画像処理アプリケーション群を読み出して実行するアプリケーションサーバ機能手段をさらに備える
ことを特徴とする請求項２に記載のアプリケーションサーバ。
【請求項４】
前記画像アプリケーション保存手段は、前記医用画像に関連する関連画像群をさらに保存し、
前記画像アプリケーション関連情報管理手段は、前記処理画像ＩＤおよび前記画像処理アプリケーションＩＤに、前記関連画像群を識別するための関連画像ＩＤをさらに関連付けて保存する
ことを特徴とする請求項２または請求項３に記載のアプリケーションサーバ。
【請求項５】
クライアント端末とネットワークを介して接続されるアプリケーションサーバにおいて、
画像処理した医用画像、前記画像処理した医用画像に用いた画像処理アプリケーション群を保存する画像アプリケーション保存手段と、
前記画像アプリケーション保存手段に保存されている前記画像処理した医用画像を識別するための処理画像ＩＤ、および前記画像処理アプリケーション群を識別するための画像処理アプリケーションＩＤを関連付けて保存する画像アプリケーション関連情報管理手段と、
前記画像アプリケーション関連情報管理手段で管理されている前記処理画像ＩＤおよび前記画像処理アプリケーションＩＤを、前記アプリケーションサーバを識別する識別情報に関連付けて、前記ネットワークを介して前記クライアント端末に送信する送信手段と
を備えることを特徴とするアプリケーションサーバ。
【請求項６】
前記クライアント端末からの要求に基づいて、前記画像アプリケーション保存手段から、前記画像処理した医用画像および前記画像処理アプリケーション群を読み出して実行するアプリケーションサーバ機能手段をさらに備える
ことを特徴とする請求項５に記載のアプリケーションサーバ。
【請求項７】
前記画像アプリケーション保存手段は、前記医用画像に関連する関連画像群をさらに保存し、
前記画像アプリケーション関連情報管理手段は、前記処理画像ＩＤおよび前記画像処理アプリケーションＩＤに、前記関連画像群を識別するための関連画像ＩＤをさらに関連付けて保存する
ことを特徴とする請求項５または請求項６に記載のアプリケーションサーバ。
【請求項８】
アプリケーションサーバとネットワークを介して接続されるクライアント端末において、
可搬型メディアに保存されている、前記アプリケーションサーバを識別する識別情報、前記アプリケーションサーバで画像処理された医用画像を識別するための処理画像ＩＤ、および前記画像処理された医用画像に用いた画像処理アプリケーション群を識別するための画像処理アプリケーションＩＤを読み出し、読み出した前記アプリケーションサーバを識別する識別情報に基づいて前記アプリケーションサーバを特定するメディア解析手段と、
前記メディア解析手段により特定された前記アプリケーションサーバに対し、前記画像処理アプリケーションＩＤを送信して前記画像処理アプリケーション群の実行を要求するアプリケーションクライアント機能手段と
を備えることを特徴とするクライアント端末。
【請求項９】
前記アプリケーションサーバから送信されてきた前記処理画像ＩＤおよび前記画像処理アプリケーションＩＤを、前記アプリケーションサーバを識別する識別情報に関連付けて可搬型メディアに保存するメディア保存手段をさらに備える
ことを特徴とする請求項８に記載のクライアント端末。
【発明の詳細な説明】
【技術分野】
【０００１】
本発明は、医用画像管理システム、アプリケーションサーバ、およびクライアント端末に関し、特に、アプリケーションサーバ上の画像処理を容易に行うことができるようにした医用画像管理システム、アプリケーションサーバ、およびクライアント端末に関する。
【背景技術】
【０００２】
患者が掛かりつけの医療機関以外の医療機関で診療を受ける場合、掛かりつけの医療機関に保管してある患者のカルテの内容を、必要に応じて掛かりつけの医療機関以外の医療機関に提出等して、そこでの診察の参考とすることがある。
【０００３】
近年、医療の分野においても情報処理技術が導入されており、医師が診断結果を記入したカルテを電子化したり、あるいは、診断結果を直接データ入力したりする方法が普及している。
【０００４】
例えば、特許文献１には、処理された画像や文字情報を記憶媒体に保管する技術が提案されている。この技術によって、何れの診療所においても患者のデータを容易に参照することが可能となる。
【先行技術文献】
【特許文献】
【０００５】
【特許文献１】特開平９−６２７４３号公報
【発明の概要】
【発明が解決しようとする課題】
【０００６】
しかしながら、特許文献１の技術では、撮像した医療機関以外の医療機関からでも、患者の画像データにアクセスする事はできるが、アプリケーションを再実施する場合には、再度、撮像元の医療機関に設置された医用ワークステーション上で処理を行わなければならない課題があった。
【０００７】
また、新たに画像処理を実施する場合にも、画像を生成した際に用いられた関連画像が、撮像元の医療機関に設置された医用ワークステーション上に存在するため、再度、撮像元の医用ワークステーション上で処理を行わなければならない課題があった。
【０００８】
本発明はこのような状況に鑑みてなされたものであり、その目的は、アプリケーションサーバとクライアント端末において、アプリケーションサーバ上の画像処理を容易に行うことができるようにした医用画像管理システムを提供することである。
【課題を解決するための手段】
【０００９】
請求項１記載の本発明の特徴は、画像処理した医用画像、および画像処理した医用画像に用いた画像処理アプリケーション群を保存する画像アプリケーション保存手段と、画像アプリケーション保存手段に保存されている画像処理した医用画像を識別するための処理画像ＩＤ、および画像処理アプリケーション群を識別するための画像処理アプリケーションＩＤを関連付けて保存する画像アプリケーション関連情報管理手段と、画像アプリケーション関連情報管理手段で管理されている処理画像ＩＤおよび画像処理アプリケーションＩＤを関連付けて可搬型メディアに保存するメディア保存手段と、可搬型メディアに保存されている処理画像ＩＤおよび画像処理アプリケーションＩＤを読み出すメディア解析手段と、メディア解析手段により読み出された処理画像ＩＤおよび画像処理アプリケーションＩＤに基づいて、画像アプリケーション保存手段から、画像処理した医用画像および画像処理アプリケーション群を読み出して実行するアプリケーションサーバ機能手段とを備える。
【００１０】
請求項２記載の本発明の特徴は、クライアント端末とネットワークを介して接続されるアプリケーションサーバにおいて、画像処理した医用画像、および画像処理した医用画像に用いた画像処理アプリケーション群を保存する画像アプリケーション保存手段と、画像アプリケーション保存手段に保存されている画像処理した医用画像を識別するための処理画像ＩＤ、および画像処理アプリケーション群を識別するための画像処理アプリケーションＩＤを関連付けて保存する画像アプリケーション関連情報管理手段と、画像アプリケーション関連情報管理手段で管理されている処理画像ＩＤおよび画像処理アプリケーションＩＤを、アプリケーションサーバを識別する識別情報に関連付けて可搬型メディアに保存するメディア保存手段とを備える。
【００１１】
請求項５記載の本発明の特徴は、クライアント端末とネットワークを介して接続されるアプリケーションサーバにおいて、画像処理した医用画像、画像処理した医用画像に用いた画像処理アプリケーション群を保存する画像アプリケーション保存手段と、画像アプリケーション保存手段に保存されている画像処理した医用画像を識別するための処理画像ＩＤ、および画像処理アプリケーション群を識別するための画像処理アプリケーションＩＤを関連付けて保存する画像アプリケーション関連情報管理手段と、画像アプリケーション関連情報管理手段で管理されている処理画像ＩＤおよび画像処理アプリケーションＩＤを、アプリケーションサーバを識別する識別情報に関連付けて、ネットワークを介してクライアント端末に送信する送信手段とを備える。
【００１２】
請求項８記載の本発明の特徴は、アプリケーションサーバとネットワークを介して接続されるクライアント端末において、可搬型メディアに保存されている、アプリケーションサーバを識別する識別情報、アプリケーションサーバで画像処理された医用画像を識別するための処理画像ＩＤ、および画像処理された医用画像に用いた画像処理アプリケーション群を識別するための画像処理アプリケーションＩＤを読み出し、読み出したアプリケーションサーバを識別する識別情報に基づいてアプリケーションサーバを特定するメディア解析手段と、メディア解析手段により特定されたアプリケーションサーバに対し、画像処理アプリケーションＩＤを送信して画像処理アプリケーション群の実行を要求するアプリケーションクライアント機能手段とを備える。
【発明の効果】
【００１３】
本発明によれば、メディアに、アプリケーションサーバ識別情報、処理画像ID、および画像処理アプリケーションIDを保存することで、アプリケーションサーバ上の画像処理を容易に行うことが可能となる。
【図面の簡単な説明】
【００１４】
【図１】本発明を適用した医用画像管理システムの構成例を示す図である。
【図２】メディアに保存される情報の例を示す図である。
【図３】メディア保存処理を説明するフローチャートである。
【図４】画像処理アプリケーションの実行処理を説明するフローチャートである。
【発明を実施するための形態】
【００１５】
以下、本発明の実施の形態について図面を参照して詳細に説明する。
【００１６】
図１は、本発明を適用した医用画像管理システムの構成例を示す図である。
【００１７】
図１に示す医用画像管理システムは、アプリケーションサーバ１とクライアント端末２がネットワーク３を介して接続されることによって構成される。この医用画像管理システムは、アプリケーションサーバ１でアプリケーションが実行され、クライアント端末２でその実行結果が表示される、いわゆるシンクライアントシステムと呼ばれる環境にある。
【００１８】
アプリケーションサーバ１には、全ての医用画像データと、この医用画像データをクライアント端末２からの要求に従って画像処理するための画像処理アプリケーションとが記憶され、クライアント端末２には、アプリケーションサーバ１に対して画像処理アプリケーションの実行を要求するとともに、その実行結果を閲覧するためのブラウザソフトウェアが記憶されている。
【００１９】
アプリケーションサーバ１は、CPU（Central Processing Unit）、ROM（Read Only Memory）、RAM（Random Access Memory）、およびHDD（Hard Disc Drive）などを実装したコンピュータシステムであり、さまざまな画像処理アプリケーションを管理し、クライアント端末２からの要求に応じて、所定の画像処理アプリケーションを実行する。
【００２０】
アプリケーションサーバ１は、少なくとも、画像処理部１ａ、画像・アプリケーション保存部１ｂ、画像・アプリケーション関連情報管理部１ｃ、メディア保存部１ｄ、およびアプリケーションサーバ機能部１ｅの機能部を有する。
【００２１】
画像処理部１ａは、操作者による指示に応じて、Ｘ線ＣＴ（Computed Tomography）装置、超音波画像診断装置、およびMRI（Magnetic Resonance Imaging）装置（いずれも図示せず）などで撮影された医用画像のデータを取得し、画像処理を行う。画像処理された画像（処理画像）、画像処理に使用したアプリケーション群、および処理画像に関連する画像群は、画像・アプリケーション保存部１ｂに供給される。
【００２２】
画像・アプリケーション保存部１ｂは、画像処理部１ａから供給された処理画像、画像処理アプリケーション群、および関連画像群を関連付けて保存する。画像・アプリケーション保存部１ｂは、保存した処理画像を識別するための処理画像ID、保存した画像処理アプリケーション群を識別するための画像処理アプリケーションID、および、保存した関連画像群を識別するための関連画像IDを画像・アプリケーション関連情報管理部１ｃに供給する。
【００２３】
画像・アプリケーション関連情報管理部１ｃは、画像・アプリケーション保存部１ｂから供給された処理画像ID、画像処理アプリケーションID、および関連画像IDを関連付けて保存する。またこのとき、画像・アプリケーション関連情報管理部１ｃは、画像・アプリケーション保存部１ｂに保存されている処理画像、画像処理アプリケーション群、および関連画像群に、処理画像ID、画像処理アプリケーションID、および関連画像IDをそれぞれ関連付ける。
【００２４】
メディア保存部１ｄは、操作者によって、処理画像をメディア４へ保存するように指示された場合、画像・アプリケーション関連情報管理部１ｃで管理されている処理画像ID、画像処理アプリケーションID、および関連画像IDを取得し、アプリケーションサーバ１を識別する情報に関連付けて、ドライブ装置（不図示）を介してメディア４に保存するメディア保存手段として機能する。
【００２５】
またメディア保存部１ｄは、画像・アプリケーション関連情報管理部１ｃから取得した処理画像ID、画像処理アプリケーションID、および関連画像IDを、アプリケーションサーバ１を識別する情報に関連付け、これらの情報を、ネットワーク３を介してクライアント端末２に送信する送信手段としても機能する。
【００２６】
図２は、メディア４に保存される情報の例を示す図である。
【００２７】
図２に示すように、メディア４には、処理画像ID、関連画像ID、画像処理アプリケーションIDがアプリケーションサーバ識別情報に関連付けてそれぞれ保存される。
【００２８】
メディア保存部１ｄは、処理画像を表示するための簡易ビューアもメディア４に保存するようにしてもよい。この場合には、メディア保存部１ｄは、処理画像IDに代わって画像・アプリケーション保存部１ｂから処理画像を取得し、画像・アプリケーション関連情報管理部１ｃから画像処理アプリケーションIDおよび関連画像IDを取得し、アプリケーションサーバ識別情報とともに、ドライブ装置（不図示）を介してメディア４に保存する。
【００２９】
アプリケーションサーバ機能部１ｅは、クライアント端末２から送信されてきた、処理画像ID、画像処理アプリケーションID、および関連画像IDに基づいて、画像・アプリケーション関連情報管理部１ｃを参照し、それらのIDに関連付けられている処理画像、画像処理アプリケーション群、および関連画像を、画像・アプリケーション保存部１ｂから読み出す。アプリケーションサーバ機能部１ｅは、読み出した画像処理アプリケーション群を実行し、画像処理結果をクライアント端末２に送信する。
【００３０】
クライアント端末２は、CPU、ROM、RAM、およびHDDなどを実装したコンピュータシステムであり、メディア４に保存されている情報を読み出し、読み出した情報に基づいて、アプリケーションサーバ１に対して所定の画像処理アプリケーションの実行を要求する。
【００３１】
クライアント端末２は、少なくとも、メディア解析部２ａおよびアプリケーションクライアント機能部２ｂの機能部を有する。
【００３２】
メディア解析部２ａは、ネットワーク３を介してアプリケーションサーバ１から送信されてきた、処理画像ID、画像処理アプリケーションID、関連画像ID、およびアプリケーションサーバ１を識別する情報を関連付けて、ドライブ装置（不図示）を介してメディア４に保存するメディア保存手段として機能する。
【００３３】
メディア解析部２ａは、メディア４に保存されている処理画像または処理画像ID、画像処理アプリケーションID、関連画像ID、およびアプリケーションサーバ識別情報を、ドライブ装置（不図示）を介して読み出す。メディア解析部２ａは、読み出したアプリケーションサーバ識別情報からアプリケーションサーバ１を特定し、画像処理アプリケーションIDおよび関連画像IDを、アプリケーションクライアント機能部２ｂに供給する。
【００３４】
メディア解析部２ａは、操作者からの要求に応じて、アプリケーションクライアント機能部２ｂから供給された画像処理結果をメディア４に保存する。
【００３５】
アプリケーションクライアント機能部２ｂは、メディア解析部２ａから供給された画像処理アプリケーションIDおよび関連画像IDを、ネットワーク３を介して、メディア解析部２ａで特定されたアプリケーションサーバ１に送信し、画像処理アプリケーションの実行を要求する。
【００３６】
アプリケーションクライアント機能部２ｂは、アプリケーションサーバ１から送信されてきた画像処理結果を受信し、図示せぬ表示部に表示させたり、あるいは、メディア解析部２ａに供給し、メディア４に保存させたりする。
【００３７】
ネットワーク３は、公衆回線網、ローカルエリアネットワーク、またはインターネットなどのネットワーク、デジタル衛星放送といった、有線または無線のいずれのものでもよい。
【００３８】
メディア４は、DVD（Digital Versatile Disc）、CD-ROM（Compact Disc Read Only Memory）、USB（Universal Serial Bus）メモリ、SD（Secure Digital）カード、メモリスティック（登録商標）、またはコンパクトフラッシュ（登録商標）などの可搬型メディアである。
【００３９】
次に、図３のフローチャートを参照して、アプリケーションサーバ１が実行するメディア保存処理について説明する。
【００４０】
ステップＳ１において、メディア保存部１ｄは、画像・アプリケーション関連情報管理部１ｃから処理画像ID、画像処理アプリケーションID、および関連画像IDを取得する。
【００４１】
ステップＳ２において、メディア保存部１ｄは、ステップＳ１の処理で取得した処理画像ID、画像処理アプリケーションID、および関連画像IDを、アプリケーションサーバ１の識別情報に関連付けて、ドライブ装置（不図示）を介してメディア４に保存する。
【００４２】
この処理によって、メディア４には、図２に示したように、処理画像ID、関連画像ID、画像処理アプリケーションIDがアプリケーションサーバ識別情報に関連付けられてそれぞれ保存される。そして、クライアント端末２では、このメディア４に保存された情報を読み出すことによって、容易に、アプリケーションサーバ１上の関連画像群およびアプリケーション群を特定することができるとともに、新たな画像処理の実行を要求することができる。
【００４３】
なお、図３に示した処理では、アプリケーションサーバ１側で、処理画像ID、画像処理アプリケーションID、関連画像ID、およびアプリケーションサーバ識別情報をメディア４に保存するようにしたが、これに限られるものではない。例えば、アプリケーションサーバ１が、処理画像ID、画像処理アプリケーションID、関連画像ID、およびアプリケーションサーバ識別情報を、ネットワーク３を介してクライアント端末２に送信し、これらの情報を受信したクライアント端末２側で、メディア４に保存するようにしてもよい。
【００４４】
次に、図４のフローチャートを参照して、メディア４に保存された情報を用いて、画像処理アプリケーションを実行する処理について説明する。
【００４５】
ステップＳ１１において、クライアント端末２のメディア解析部２ａは、メディア４に保存されている処理画像ID、画像処理アプリケーションID、関連画像ID、およびアプリケーションサーバ識別情報を、ドライブ装置（不図示）を介して読み出す。
【００４６】
ステップＳ１２において、クライアント端末２のメディア解析部２ａは、ステップＳ１１の処理で読み出したアプリケーションサーバ識別情報からアプリケーションサーバ１を特定する。
【００４７】
ステップＳ１３において、クライアント端末２のアプリケーションクライアント機能部２ｂは、ステップＳ１１の処理で読み出された処理画像ID、アプリケーションID、および関連画像IDを、ネットワーク３を介して、ステップＳ１２の処理で特定されたアプリケーションサーバ１に送信し、画像処理アプリケーションを実行するように要求する。
【００４８】
ステップＳ２１において、アプリケーションサーバ１のアプリケーションサーバ機能部１ｅは、クライアント端末２から送信されてきた、処理画像ID、画像処理アプリケーションID、および関連画像IDに基づいて、画像・アプリケーション関連情報管理部１ｃを参照し、それらのIDに関連付けられている処理画像、画像処理アプリケーション群、および関連画像群を、画像・アプリケーション保存部１ｂから読み出す。
【００４９】
ステップＳ２２において、アプリケーションサーバ１のアプリケーションサーバ機能部１ｅは、ステップＳ２１の処理で読み出された関連画像群を用いて画像処理アプリケーション群を実行する。またこのとき、例えば、過去に撮影された画像と今回撮影された画像の比較を行う場合には、ステップＳ２１の処理で読み出された処理画像も用いて、画像処理アプリケーションが実行される。
【００５０】
ステップＳ２３において、アプリケーションサーバ１のアプリケーションサーバ機能部１ｅは、ステップＳ２２の処理で得られた画像処理結果を、ネットワーク３を介してクライアント端末２に送信する。
【００５１】
ステップＳ１３において、クライアント端末２のアプリケーションクライアント機能部２ｂは、アプリケーションサーバ１から受信した画像処理結果を図示せぬ表示部に表示させる。またアプリケーションクライアント機能部２ｂは、操作者からの要求に応じて、画像処理結果をメディア解析部２ａに供給し、メディア４に保存させる。
【００５２】
以上のように、クライアント端末２は、メディア４に保存された処理画像ID、画像処理アプリケーションID、関連画像ID、およびアプリケーションサーバ識別情報を読み出し、読み出した情報に基づいて画像処理を実行するように、アプリケーションサーバ１に対して要求することができる。アプリケーションサーバ１では、クライアント端末２から送信されてきた処理画像ID、画像処理アプリケーションID、および関連画像IDに基づいて、処理画像、処理画像に用いた画像処理アプリケーション群、および関連画像を読み出すこができる。従って、アプリケーションサーバ１は、容易に、画像処理の再実施や新たな画像処理を行うことが可能となり、作業効率を向上させることができる。
【００５３】
またメディア４には、処理画像、画像処理アプリケーション群、および関連画像群を識別するための識別情報（ID）のみを保存するようにしたので、効率的にメディアを使用することが可能である。
【００５４】
この発明は、上記実施の形態そのままに限定されるものではなく、実施段階ではその要旨を逸脱しない範囲で構成要素を変形して具体化したり、上記実施の形態に開示されている複数の構成要素を適宜組み合わせたりすることにより種々の発明を形成できる。例えば、実施の形態に示される全構成要素から幾つかの構成要素を削除してもよい。さらに、異なる実施の形態に亘る構成要素を適宜組み合わせても良い。
【符号の説明】
【００５５】
１  アプリケーションサーバ
１ａ  画像処理部
１ｂ  画像・アプリケーション保存部
１ｃ  画像・アプリケーション関連情報管理部
１ｄ  メディア保存部
２  クライアント端末
２ａ  メディア解析部
２ｂ  アプリケーションクライアント機能部
３  ネットワーク
【図１】
2010238093.tif 000003
【図２】
2010238093.tif 000004
【図３】
2010238093.tif 000005
【図４】
2010238093.tif 000006